(57)【要約】      （修正有）【課題】第１の丸型磁石と結合した表示部が新しいデザインに変更になった場合でも、第２の丸型磁石はそのまま使用できるマグネット式バッジを提供する。【解決手段】第１の丸型磁石ＭＢと結合した表示部Ｂと第２の丸型磁石Ｍとの組合せからなるマグネット式バッジにおいて、第１の丸型磁石ＭＢの端面がＮ極であり、第２の丸型磁石Ｍの一方の端面がＮ極で一方の端面がＳ極であり、第１の丸型磁石ＭＢの直径と第２の丸型磁石Ｍの直径が略同一であることを特徴とする。【選択図】図３
0003200238.tif 000002
【実用新案登録請求の範囲】
【請求項１】
第１の丸型磁石ＭＢと結合した表示部Ｂと第２の丸型磁石Ｍとの組合せからなるマグネット式バッジにおいて、第１の丸型磁石ＭＢの端面がＮ極であり、第２の丸型磁石Ｍの一方の端面がＮ極で一方の端面がＳ極であり、第１の丸型磁石ＭＢの直径ｄ１と第２の丸型磁石Ｍの直径ｄ２が略同一であることを特徴とするマグネット式バッジ。
【請求項２】
第１の丸型磁石ＭＢを内蔵した装飾部と第２の丸型磁石Ｍとの組合せからなるマグネット式バッジにおいて、第１の丸型磁石ＭＢの端面がＳ極であり、第２の丸型磁石Ｍの一方の端面がＳ極で一方の端面がＮ極であり、第１の丸型磁石ＭＢの直径ｄ１と第２の丸型磁石Ｍの直径ｄ２が略同一であることを特徴とする請求項１に記載されたるマグネット式バッジ。
【請求項３】
第１の丸型磁石ＭＢの高さｈ１と第２の丸型磁石Ｍの高さｈ２が略同一であることを特徴とする請求項１〜２の何れかに記載されたるマグネット式バッジ。
【請求項４】
第１の丸型磁石ＭＢ及び／又は第２の丸型磁石Ｍがキャップ付きの丸型磁石であることを特徴とする請求項１〜３の何れかに記載されたるマグネット式バッジ。
【請求項５】
ネクタイピンとしても使用できることを特徴とする請求項１〜４の何れかに記載されたマグネット式バッジ。
【考案の詳細な説明】
【技術分野】
【０００１】
本考案は、マグネット式バッジに関する。
【背景技術】
【０００２】
考案者が把握している従来技術として、
（１）磁石を内蔵した飾りボタンと磁石を内蔵した裏ボタンの組合せからなるマグネット式バッジにおいて、飾りボタンと裏ボタンの両方に磁石を内蔵してなるマグネット式バッジがあった。
【考案の開示】
【０００３】
（１）Ｎ極とＳ極からなる磁石を内蔵した飾りボタンと鉄製材料からなる裏ボタンの組合せからなるマグネット式バッジにおいて、飾りボタンと裏ボタンの一方のみにＮ極とＳ極からなる磁石を内蔵してなるマグネット式バッジがあった。
【先行技術文献】
【特許文献】
【０００４】
本願考案に係るマグネット式バッジについて、ＦＩ、キーワード検索を行ったところ、本件考案（請求項１〜５に記載されたマグネット式バッジ）は発見されなかったので、特許文献の記載は省略する。
【考案の概要】
【考案が解決しようとする課題】
【０００５】
○本考案が解決しようとする第１課題
本考案が解決しようとする第１課題は、
第１の丸型磁石ＭＢと結合した表示部Ｂが新しいデザインに変更になった場合でも、第２の丸型磁石Ｍはそのまま使用できるマグネット式バッジを提供することである。
○本考案が解決しようとする第２課題
本考案が解決しようとする第２課題は、
第１の丸型磁石ＭＢを内蔵した表示が多種類ある場合でも、第２の丸型磁石Ｍは１種類製作すればよいので、安価なマグネット式バッジを提供することができ、本考案課題は、かかる安価なマグネット式バッジを提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
○丸型磁石とは、円柱形状をした永久磁石であり、上面と下面が、Ｎ極Ｎ又はＳ極Ｓとなっている。
○第１の丸型磁石ＭＢとは、本発明に係る、マグネット式バッジ１００の構成要素の一つであり、表示部Ｂ１と結合してなる。
○表示部Ｂとは、職務・地位・所属等を示すために、帽子や衣服の襟等につける小さい記章等を表した部分である。
本発明に係る、表示部Ｂは、第１の丸型磁石ＭＢと結合してなる。
○第２の丸型磁石Ｍとは、本発明に係る、マグネット式バッジ１００の構成要素の一つであある。
○マグネット式バッジ１００とは、丸型磁石を用いたバッジである。
バッジとは、職務・地位・所属などを示すために、帽子や衣服につける小さい記章等をいう。
○Ｎ極Ｎとは、磁石上で北を指すほうの極をいう。
○Ｓ極Ｓとは、磁石上できた南を指すほうの極をいう。
○直径ｄ１とは、第１の丸型磁石ＭＢの直径ｄ１をいう。
○直径ｄ２とは、第２の丸型磁石Ｍの直径ｄ２をいう。
○高さｈ１とは、第１の丸型磁石ＭＢの高さｈ１をいう。
○直径ｈ２とは、第２の丸型磁石Ｍの高さｈ２をいう。
○キャップＣとは、丸型磁石（第１の丸型磁石ＭＢ又は第２の丸型磁石Ｍ）が当該キャップＣに接触すると、丸型磁石の片面の磁力を、外周のキャップＣの先端面に集中させるため、単体の磁石（同種・同サイズ）と比較して数倍の吸着力が得られる（図４を参照）。
○キャップＣ付き丸型磁石（第１の丸型磁石ＭＢ又は第２の丸型磁石Ｍ）とは、キャップＣと接着結合した丸型磁石（第１の丸型磁石ＭＢ又は第２の丸型磁石Ｍ）をいう。キャップＣ付き丸型磁石は、キャップＣのない丸型磁石に比較して、数倍の吸着力が得られる（図４を参照）。
したがって、キャップＣ付き丸型磁石を構成要件とするマグネット式バッジは（請求項４記載発明）は、挟む力が大きくて、落ち難いという顕著な効果を有する。
○第１の丸型磁石ＭＢの端面とは、表示部Ｂと結合している端面の反対側の端面をいう。表示部Ｂと結合している端面は結合面という。
○第２の丸型磁石Ｍの一方の端面とは、第２の丸型磁石Ｍの上面（上側底面）をいう。
第２の丸型磁石Ｍのもう一方の端面とは、第２の丸型磁石Ｍの下面（下側底面）をいう。
第２の丸型磁石Ｍの上面、下面は任意に選択可能であり、当該上面がＮ極、当該下面がＳ極の第２の丸型磁石Ｍは、上下反転させれば、当該上面がＳ極、当該下面がＮ極の第２の丸型磁石Ｍとなる。
したがって、第１の丸型磁石ＭＢと結合した表示部Ｂは、第１の丸型磁石ＭＢの端面がＮ極とＳ極の２種類があるが、第１の丸型磁石ＭＢと結合した表示部Ｂと組合せることでき、第２の丸型磁石Ｍは１種類製作すればよいので、安価なマグネット式バッジを提供することができる。
＜本発明の使用態様＞
（１）本発明は、襟につけた場合は、本来のバッジとしての使用であり、社章等としても使用できる。
（２）沖縄では、かりゆしウェア等の第一ボタンを外したりすることが多い。
しかし、第一ボタンを外すと、どうしても下着が見えてかっこよくないということが起こる。
係る事態を防ぐために、本発明のバッジを、第一ボタンと第２ボタンの間にボタン代わりに用いると、かりゆしウェア等の前立てを止めることができ下着が見えなくすることができ、他人から見ても、綺麗で、好感が持てる。
（３）本発明は、ネクタイ幅広部とネクタイ幅狭部とYシャツを重ねて挟むようにして用いればネクタイピンとして使用することができる（図３を参照）。
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
第１の丸型磁石ＭＢと結合した表示部Ｂと第２の丸型磁石Ｍとの組合せからなるマグネット式バッジ１００において、第１の丸型磁石ＭＢの端面がＮ極であり、第２の丸型磁石Ｍの一方の端面がＮ極で一方の端面がＳ極であり、第１の丸型磁石ＭＢの直径ｄ１と第２の丸型磁石Ｍの直径ｄ２が略同一であることを特徴とするマグネット式バッジ１００である。
○第２の考案（請求項２に記載の考案）
上記の課題を解決するための第２の考案（請求項２に記載の考案）は、第１の丸型磁石ＭＢを内蔵した装飾部と第２の丸型磁石Ｍとの組合せからなるマグネット式バッジ１００において、第１の丸型磁石ＭＢの端面がＳ極であり、第２の丸型磁石Ｍの一方の端面がＳ極で一方の端面がＮ極であり、第１の丸型磁石ＭＢの直径ｄ１と第２の丸型磁石Ｍの直径ｄ２が略同一であることを特徴とする請求項１に記載されたマグネット式バッジ１００である。
○第３の考案（請求項３に記載の考案）
上記の課題を解決するための第３の考案（請求項３に記載の考案）は、第１の丸型磁石ＭＢの高さｈ１と第２の丸型磁石Ｍの高さｈ２が略同一であることを特徴とする請求項１〜２の何れかに記載されたマグネット式バッジ１００である。
○第４の考案（請求項４に記載の考案）
上記の課題を解決するための第４の考案（請求項４に記載の考案）は、第１の丸型磁石ＭＢ及び／又は第２の丸型磁石Ｍがキャップ付きの丸型磁石であることを特徴とする請求項１〜３の何れかに記載されたマグネット式バッジ１００である。
○第５の考案（請求項５に記載の考案）
上記の課題を解決するための第５の考案（請求項５に記載の考案）は、ネクタイピンとしても使用できることを特徴とする請求項１〜４の何れかに記載されたマグネット式バッジ１００である。
【考案の効果】
【０００７】
本考案に係る、マグネット式バッジは、上記のような特徴的構成要件から構成され、特徴的構成要件に応じた、以下のような本願考案特有の効果を奏する。
また、上記の各考案に応じた、上記のような特徴的構成要件から構成されたマグネット式バッジ１００によれば、本願考案の課題を十分解消することができた。
○第１の考案の効果
第１の考案によれば、
第１の丸型磁石ＭＢと結合した表示部Ｂと第２の丸型磁石Ｍとの組合せからなるマグネット式バッジ１００において、第１の丸型磁石ＭＢの端面がＮ極であり、第２の丸型磁石Ｍの一方の端面がＮ極で一方の端面がＳ極であり、第１の丸型磁石ＭＢの直径ｄ１と第２の丸型磁石Ｍの直径ｄ２が略同一であることという特徴的な構成要件により、本考案が解決しようとする第１課題〜第２課題を達成することができ、当業者予測不可能な顕著な効果を奏することができた。
○第２の考案の効果
第２の考案によれば、
第１の丸型磁石ＭＢを内蔵した装飾部と第２の丸型磁石Ｍとの組合せからなるマグネット式バッジ１００において、第１の丸型磁石ＭＢの端面がＳ極であり、第２の丸型磁石Ｍの一方の端面がＳ極で一方の端面がＮ極であり、第１の丸型磁石ＭＢの直径ｄ１と第２の丸型磁石Ｍの直径ｄ２が略同一であることという特徴的な構成要件により、本考案が解決しようとする第１課題〜第２課題を達成することができ、当業者予測不可能な顕著な効果を奏することができた。
○第３の考案の効果
第３の考案によれば、
第１の丸型磁石ＭＢの高さｈ１と第２の丸型磁石Ｍの高さｈ２が略同一であることという特徴的な構成要件により、本考案が解決しようとする第１課題〜第２課題を達成することができ、当業者予測不可能な顕著な効果を奏することができた。
○第４の考案の効果
第４の考案によれば、
第１の丸型磁石ＭＢ及び／又は第２の丸型磁石Ｍがキャップ付きの丸型磁石であることという特徴的な構成要件により、本考案が解決しようとする第１課題〜第２課題を達成することができ、当業者予測不可能な顕著な効果を奏することができた。
○第５の考案の効果
第５の考案によれば、
ネクタイピンとしても使用できることという特徴的な構成要件により、本考案が解決しようとする第１課題〜第２課題を達成することができ、当業者予測不可能な顕著な効果を奏することができた。
【考案を実施するための最良の形態】
【０００８】
以下、本考案に係るマグネット式バッジ１００に関する最良の実施形態について、図面を参照しながら説明する。
図１は、第１の丸型磁石ＭＢと結合した表示部Ｂを表す図である。図１（Ａ）図は、第１の丸型磁石ＭＢと結合した表示部Ｂ平面図である。図１（Ｂ）図は、第１の丸型磁石ＭＢと結合した表示部Ｂの正面図である。図１（Ｃ）図は、第１の丸型磁石ＭＢと結合した表示部Ｂの底面図である。
図２は、第２の丸型磁石Ｍを表す図である。図２（ａ）図は、第２の丸型磁石Ｍの平面図である。図２（ｂ）図は、第２の丸型磁石Ｍの正面図である。図２（ｃ）図は、第２の丸型磁石Ｍの底面図である。
図３は、本発明に係る、マグネット式バッジをネクタイピンとして使用する態様を表す図である。
図４は、キャップ付きの丸型磁石を表す図である。
以下、本考案に係るマグネット式バッジ１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネット式バッジ１００において、
第１の丸型磁石ＭＢと結合した表示部Ｂと第２の丸型磁石Ｍとの組合せからなるマグネット式バッジ１００において、第１の丸型磁石ＭＢの端面がＮ極であり、第２の丸型磁石Ｍの一方の端面がＮ極で一方の端面がＳ極であり、第１の丸型磁石ＭＢの直径ｄ１と第２の丸型磁石Ｍの直径ｄ２が略同一であることを特徴とするマグネット式バッジ１００が開示されている。
○第１の考案の効果
第１の考案によれば、
第１の丸型磁石ＭＢと結合した表示部Ｂと第２の丸型磁石Ｍとの組合せからなるマグネット式バッジ１００において、第１の丸型磁石ＭＢの端面がＮ極であり、第２の丸型磁石Ｍの一方の端面がＮ極で一方の端面がＳ極であり、第１の丸型磁石ＭＢの直径ｄ１と第２の丸型磁石Ｍの直径ｄ２が略同一であることという特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネット式バッジ１００において、
第１の丸型磁石ＭＢを内蔵した装飾部と第２の丸型磁石Ｍとの組合せからなるマグネット式バッジ１００において、第１の丸型磁石ＭＢの端面がＳ極であり、第２の丸型磁石Ｍの一方の端面がＳ極で一方の端面がＮ極であり、第１の丸型磁石ＭＢの直径ｄ１と第２の丸型磁石Ｍの直径ｄ２が略同一であることを特徴とする請求項１に記載されたマグネット式バッジ１００が開示されている。
○第２の考案の効果
第２の考案によれば、
第１の丸型磁石ＭＢを内蔵した装飾部と第２の丸型磁石Ｍとの組合せからなるマグネット式バッジ１００において、第１の丸型磁石ＭＢの端面がＳ極であり、第２の丸型磁石Ｍの一方の端面がＳ極で一方の端面がＮ極であり、第１の丸型磁石ＭＢの直径ｄ１と第２の丸型磁石Ｍの直径ｄ２が略同一であることという特徴的な構成要件により、本考案が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネット式バッジ１００において、
第１の丸型磁石ＭＢの高さｈ１と第２の丸型磁石Ｍの高さｈ２が略同一であることを特徴とする請求項１〜２の何れかに記載されたマグネット式バッジ１００が開示されている。
○第３の考案の効果
第３の考案によれば、
第１の丸型磁石ＭＢの高さｈ１と第２の丸型磁石Ｍの高さｈ２が略同一であることという特徴的な構成要件により、本考案が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネット式バッジ１００において、
第１の丸型磁石ＭＢ及び／又は第２の丸型磁石Ｍがキャップ付きの丸型磁石であることを特徴とする請求項１〜３の何れかに記載されたマグネット式バッジ１００が開示されている。
○第４の考案の効果
第４の考案によれば、
第１の丸型磁石ＭＢ及び／又は第２の丸型磁石Ｍがキャップ付きの丸型磁石であることという特徴的な構成要件により、本考案が解決しようとする第１課題〜第２課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のマグネット式バッジ１００において、
ネクタイピンとしても使用できることを特徴とする請求項１〜４の何れかに記載されたマグネット式バッジ１００が開示されている。
○第５の考案の効果
第５の考案によれば、
ネクタイピンとしても使用できることという特徴的な構成要件により、本考案が解決しようとする第１課題〜第２課題を達成することができ、当業者予測不可能な顕著な効果を奏することができた。
【図面の簡単な説明】
【０００９】
【図１】図１は、第１の丸型磁石ＭＢと結合した表示部Ｂを表す図である。図１（Ａ）図は、第１の丸型磁石ＭＢと結合した表示部Ｂの平面図である。図１（Ｂ）図は、第１の丸型磁石ＭＢと結合した表示部Ｂの正面図である。図１（Ｃ）図は、第１の丸型磁石ＭＢと結合した表示部Ｂの底面図である。
【図２】図２は、第２の丸型磁石Ｍを表す図である。図２（ａ）図は、第２の丸型磁石Ｍの平面図である。図２（ｂ）図は、第２の丸型磁石Ｍの正面図である。図２（ｃ）図は、第２の丸型磁石Ｍの底面図である。
【図３】図４は、本発明に係る、マグネット式バッジをネクタイピンとして使用する態様を表す図である。
【図４】図４は、キャップ付きの丸型磁石を表す図である。
【符号の説明】
【００１０】
ＭＢ……第１の丸型磁石
Ｂ……表示部
Ｍ……第２の丸型磁石
１００……マグネット式バッジ
Ｎ……Ｎ極
Ｓ……Ｓ極
Ｃ……キャップ
Ｓｔ……Ｙシャツ
Ｎｔ１……ネクタイ幅広部
Ｎｔ１……ネクタイ幅狭部
【図１】
0003200238.tif 000003
【図２】
0003200238.tif 000004
【図３】
0003200238.tif 000005
【図４】
0003200238.tif 000006